(57)【要約】【課題】ドアの外側に鍵穴を設けず遠隔制御で解錠する施錠装置を用いて、ドアのロックを行うようにすると共に、その暗証番号として多数個の数字の組合せを用いた施錠装置に関する。【解決手段】  施錠装置が、暗証番号を送受信する送受信部と、受信した暗証番号が正しいか否か判定する判定部と、現在の暗証番号を記録する第１記録部とからなり、リモコンキーが、暗証番号を送受信する送受信部と、暗証番号を記録する第２記録部とからなり、暗証番号が、所定数の連続する数字又は文字の組合せからなって変更されない識別番号部と、該識別番号部以外の数字又は文字の組合せからなって、その順番がランダムに可変するランダム可変番号部とからなっており、リモコンキーで送信した暗証番号が、施錠装置に記録された暗証と一致する場合に施錠装置の開閉を行うと共に暗証番号のランダム可変部の数字又は文字の組合せを変更して新たな暗証番号とすることを特徴とする。【選択図】図１
0003104511.tif 000002
【実用新案登録請求の範囲】
【請求項１】
ドアの内側に取り付けられた施錠装置と、ドアの外側で前記施錠装置に暗証番号を送受信するリモコンキーとからなる遠隔制御式施錠構造において、
施錠装置が、暗証番号を送受信する送受信部と、受信した暗証番号が正しいか否か判定する判定部と、現在の暗証番号を記録する第１記録部とからなっており、
リモコンキーが、暗証番号を送受信する送受信部と、暗証番号を記録する第２記録部とからなっており、
暗証番号が、所定数の連続する数字または文字の組合せからなって変更されない識別番号部と、該識別番号部以外の数字または文字の組合せからなって、その順番がランダムに可変するランダム可変番号部とからなっており、
リモコンキーで送信した暗証番号が、施錠装置に記録された暗証と一致する場合に施錠装置の開閉を行うと共に、暗証番号のランダム可変部の数字または文字の組合せを変更して新たな暗証番号とすることを特徴とする遠隔制御式施錠構造。
【請求項２】
暗証番号が、２５個の数字の組合せからなっており、その中の最後の５つの数字の組合せが固定されて識別番号部となっており、残りの２０個の数字がランダム可変番号部となっており、施錠装置の作動毎に数字の組合せの順番が変更することを特徴とする請求項１に記載の遠隔制御式施錠構造。
【請求項３】
リモコンキーの送信した暗証番号の識別番号部が一致し、ランダム可変番号部が不一致の場合に、これを受信した施錠装置では、現在有効な暗証番号をリモコンキーに送信し、リモコンキーでは受信した暗証番号を第２記録部に記録し、施錠装置は開閉作動を行うようになっていることを特徴とする請求項１または２に記載の遠隔制御式施錠構造。
【請求項４】
暗証番号が音声信号からなっており、リモコンキーに代えて電話その他の音声発生手段を用いることができることを特徴とする請求項１または２に記載の遠隔制御式施錠構造。
【考案の詳細な説明】
【技術分野】
【０００１】
本考案は、遠隔制御を用いて施錠装置の解錠を行うことができるようにし、ドアの外側に鍵穴を設けないようにした遠隔制御式施錠装置に関するものである。
【背景技術】
【０００２】
近時、鍵孔から針金状の部材を用い、これを鍵穴に差込んで操作し施錠装置を解錠する、所謂ピッキング、カム送り、サムターン等と称せられる犯罪が多発し、被害が増加している。
そこで、鍵穴を設けずに解錠することができる構造が望まれるている。
一方、従来よりリモコンキーとしては車輛用の施錠装置が知られている（例えば特開平１１−３４８６８６公報など）が、暗証番号の組合せが少ない。
同様に、特開２００１−３２５８５号公報では、建物の戸締まり用のリモコン錠も知られており、送信信号の識別コードを増やすことはできるが固定されているため解読される可能性があり、安全性の点で未だ十分とはいえない。
本件考案は、そうした犯罪行為を防ぐため開発された安全性の高い施錠装置に関するものである。
【特許文献１】特開２００１−３２５８５号公報
【考案の開示】
【考案が解決しようとする課題】
【０００３】
この考案の解決しようとする課題は、ドアの外側に鍵穴を設けず、遠隔制御で解錠する施錠装置を用いて、ドアのロックを行うようにすると共に、その暗証番号として、識別番号部とランダム可変番号部とからなる数字の組合せを用いた遠隔制御式施錠装置を提供することにある。
【課題を解決するための手段】
【０００４】
上記課題を解決するために、請求項１の考案では、
ドアの内側に取り付けられた施錠装置と、ドアの外側で前記施錠装置に暗証番号を送受信するリモコンキーとからなる遠隔制御式施錠構造において、
施錠装置が、暗証番号を送受信する送受信部と、受信した暗証番号が正しいか否か判定する判定部と、現在の暗証番号を記録する第１記録部とからなっており、
リモコンキーが、暗証番号を送受信する送受信部と、暗証番号を記録する第２記録部とからなっており、
暗証番号が、所定数の連続する数字または文字の組合せからなって変更されない識別番号部と、該識別番号部以外の数字または文字の組合せからなって、その順番がランダムに可変するランダム可変番号部とからなっており、
リモコンキーで送信した暗証番号が、施錠装置に記録された暗証と一致する場合に施錠装置の開閉を行うと共に、暗証番号のランダム可変部の数字または文字の組合せを変更して新たな暗証番号とすることを特徴とする。
【０００５】
請求項２の考案では、
前記暗証番号が、２５個の数字の組合せからなっており、その中の最後の５つの数字の組合せが固定されて識別番号部となっており、残りの２０個の数字がランダム可変番号部となっており、施錠装置の作動毎に数字の組合せの順番が変更することを特徴とする。
また、請求項３の考案では、
前記リモコンキーの送信した暗証番号の識別番号部が一致し、ランダム可変番号部が不一致の場合に、これを受信した施錠装置では、現在有効な暗証番号をリモコンキーに送信し、リモコンキーでは受信した暗証番号を第２記録部に記録し、施錠装置は開閉作動を行うようになっていることを特徴とする。
更に、請求項４の考案では、
前記暗証番号が音声信号からなっており、リモコンキーに代えて電話その他の音声発生手段を用いることができることを特徴とする。
【考案の効果】
【０００６】
本考案の遠隔制御式施錠装置では、シリンダー錠を用いないのでドアの表面に鍵穴が開口することがなく、暗証番号の送受信により施錠装置を解錠することができるので、極めて安全にドアのロックを解除することができる。
暗証番号としては多数個の数字の組合せからなっており、解錠後はその組合せが固定された所定の数字列を除いて変更されるようにしたので、解読を困難にして安全性の向上を図ることができる。
また、固定された所定数の数列は、施錠装置毎に決められているので、該施錠装置に対応するリモコンキー以外によって解錠されることもない。
【考案を実施するための最良の形態】
【０００７】
以下に、この考案の遠隔制御式施錠装置を建物のドアに適用した場合の好適実施例について図面を参照しながら説明する。
【実施例１】
【０００８】
ドアＤの内側には遠隔制御式の施錠装置１が固定されている。
この施錠装置１は、リモコンキーからの暗証番号を受信するアンテナ２Ａを有する第１送受信部２と、該第１送受信部２からの信号を受けて正しい解除信号と合致するか否か判定する判定部３と、暗証番号が正しいと判定すると錠杆４Ａを作動して施錠を開閉する作動部４と、前記暗証番号を記録する第１記録部５と、新しい暗証番号を生成する暗証番号生成部６とからなっている。
一方、リモコンキー１１は、前記第１送受信部２と暗証番号を送受信可能な第２送受信部１２と、前記暗証番号を記録する第２記録部１５とを有し、必要に応じて新しい暗証番号を生成する暗証番号生成部１６を設けてもよい。
【０００９】
上記施錠装置１およびリモコンキー１１で使用される暗証番号Ｓは、図２に示すように識別番号部Ｓ１とランダム可変部Ｓ２とからなっている。
即ち、本実施例の場合、暗証番号Ｓは２５個の数字からなっており、そのうちの５個の数字の順列が固定、即ち、２１番目から２５番目の順列に固定されており識別番号部Ｓ１となっている。
図示例では、２１、２２、２３、２４、２５の５つの数字の順列である。
【００１０】
この暗証番号の特徴は、リモコンキー１１を使用する毎に、その暗証番号が変化するもので、フローティングシステムと名付けた。
１から２０までの数字はランダム可変部となっており、その順番が変化しうる。その順番の変化は乗数変化により３２億通りの数字の組合せに変換することができる。
２１から２５の数字の順列は固定されており、識別番号部となっている。
【００１１】
そして、施錠装置１の開閉作動毎に、その数字の順番がランダムに変更して次の開閉作動の際に用いる暗証番号となっている。
識別番号部Ｓ１の５個の数字を除くランダム可変部Ｓ２の数字は、暗証番号生成部で乱数テーブルを用いるなどして変化させることができる。
上記実施例では、数字を用いたが、文字でもよい。ここで文字とは記号や図形なども含むものとする。
そして、このような暗証番号を示す信号が、赤外線や電波などの各種信号を用いて送受信される。
【００１２】
次ぎに、使用法について説明する。
リモコンキー１１には、図示例の場合、開閉それぞれのボタン１６、１７が設けられており、いずれかのボタンの投入により、第２記録部１５から暗証番号が呼び出され、信号に変換されて第２送受信部１２から発信される。
この発信された暗証番号の信号は、施錠装置１の第１送受信部２に受信され、判定部３で、第１記録部５に記録された暗証番号と一致するか否か判定される。
２５個全ての暗証番号が一致した場合に、作動部４が作動して錠杆４Ａを出没して、ロック乃至ロック解除を行う。
【００１３】
また、施錠装置１は、暗証番号生成部６で前記暗証番号が一致した場合に新しい（次ぎに用いる）暗証番号を生成し、この暗証番号を第１記録部５に記録すると共に、第１送受信部２からリモコンキー１１の第２送受信部１２に送信する。
リモコンキー１１は、使用した暗証番号をリセットし、新しい暗証番号を第２記録部１５に記録する。
新しい暗証番号は、前述のようにランダム可変部が変更された暗証番号である。
これにより、施錠装置１は開閉毎に異なる暗証番号を用いることになる。
【００１４】
受信した暗証番号が一致しない場合には、作動部４は停止したままであるので、錠杆４Ａを動かすことができない。
また、ドアＤの表面にはシリンダー錠の鍵穴など無いので、ドアをこじあけることもできず、極めて安全性が高い。
【００１５】
次ぎに、１つの施錠装置１に複数のリモコンキー１１が設定されている場合には、前回使用しなかったリモコンキー１１の暗証番号は、施錠装置１が記憶する現在の暗証番号とは異なっている。
しかし、判定部３では、リモコンキー１１が送信された暗証番号のうち、固定された数字の順列である識別番号部Ｓ１が、施錠装置１の第１記録部５に記録された暗証番号の識別番号部と一致するか否かを判定し、一致する場合には、ランダム可変部Ｓ２の数字がマッチングしなくても、作動部４を作動させてロックの開閉を行わせる。
【００１６】
同時に、新しい暗証番号を第１および第２送受信装置２、１２を経由して前記リモコンキー１１の第２記録部１５に記録させることができる。
これにより、１台の施錠装置１に複数のリモコンキー１１が設定されていても、支障なく使用することができる。
【００１７】
上記実施例では、暗証番号は施錠装置の暗証番号生成部６で生成し、それをリモコンキー１１に送信して記録させたが、図中点線で示すようにリモコンキー１１にも暗証番号生成部１６を設けておき、自ら新しい暗証番号を生成して記録する構成とし、暗証番号がマッチングしなかった場合に、該暗証番号をリセットし、施錠装置１からの暗証番号に書き換えるようにしてもよい。
【００１８】
また、本実施例では解錠、施錠のいずれの場合にもリモコンキー１１を用いる構成としたが解錠時だけリモコンキーを用いる構成とし、施錠はドアＤを閉めると自動的に行う構成としてもよい。
その他、要するにこの考案の要旨を変更しない範囲で種々設計変更しうること勿論である。
【００１９】
この施錠装置１は、ドアＤの内側に取り付けるため、ドアＤの表面にはシリンダー錠のための鍵穴を設ける必要が無く、また施錠装置１の取付位置は限定されないので外部からは錠杆４Ａの位置が推測できないので、防盗効果が高い。
また、この考案のドアの構造は特に限定されるものではなく、左右勝手違いドアーにも対応できる。
また、施錠装置１やリモコンキー１１にはＩＣと小型電池が内蔵されており、電池切れは、残量をＬＥＤなどの点滅で知らせるが、電池切れの場合に、施錠装置は開の状態となるように設定している。
【００２０】
また、リモコンキーへの暗証番号の登録は、登録済みの暗証番号をクリアするだけで、新たな暗証番号を生成するのでワンタッチで行うことができる。
さらに、本件では別途キットを備えつけることで、電話で開閉し、音声入力もできる。
錠杆の数は特に限定されるものではなく、１本又は２本その他の複数本が設けられていてもよい。
また、この考案では、建物のドアの施錠装置について説明したが、車の施錠装置としても用いることができる。
その他、要するにこの考案の要旨を変更しない範囲で種々設計変更しうる。
【図面の簡単な説明】
【００２１】
【図１】遠隔制御式施錠装置を示すブロック図である。
【図２】暗証番号の構成を示す説明図である。
【符号の説明】
【００２２】
１    施錠装置
２Ａ  アンテナ
２    第１送受信部
３    判定部
４    作動部
５    第１記録部
６    暗証番号生成部
１１    リモコンキー
１２    第２送受信部
１５    第２記録部
Ｄ    ドア
【図１】
0003104511.tif 000003
【図２】
0003104511.tif 000004